(57)【特許請求の範囲】
【請求項１】
液体を収容して保温し飲料に供する容器本体の上部に基部が回動できるように軸で接続された上部接続部材と、容器本体の下部に基部が回動できるように軸で接続された下部接続部材と、上部接続部材の自由端部に上端が回動できるように軸で連結され下部接続部材の自由端部に下端が回動および摺動できるように軸で連結されて容器本体に沿う格納位置と容器本体から離れた引き出し位置とに前記２つの接続部間で移動できるハンドル本体と、を備え、下部接続部材がハンドル本体の容器本体からの引き離しを伴い容器本体から起きあがる角度を、ハンドル本体の容器本体からの引き離しを伴う上部接続部材のそれよりも大きく設定することにより、ハンドル本体をその引き出し位置で容器本体に対し傾斜姿勢とするようにしてあることを特徴とする液体保温容器のハンドル構造。
【発明の詳細な説明】
【０００１】
【発明の属する技術分野】
本発明は液体保温容器のハンドル構造に関し、詳しくは、ハンドル本体が容器本体に対し離接できるように接続した液体保温容器のハンドル構造に関するものである。
【０００２】
【従来の技術】
この種のハンドル構造は、実開昭６１−３５６４５号公報、特開平０８−１１７１１８号公報、特開平１０−３６４４５５号公報などで知られている。図６は本出願人が先に提案したハンドル構造を示し、特開平０８−１１７１１８号公報に開示のものに類似している。このものは、接続部材ａとハンドル本体ｂとを軸ｃにより回動できるように連結し合い、接続部材ａの上端を容器本体ｄに軸ｅにより回動できるように接続し、ハンドル本体ｂの下端を容器本体ｄに軸ｆにより回動および摺動できるように接続している。ハンドル本体ｂは接続部材ａの容器本体ｄからの起き上がりを伴い、下端が上方に摺動しながら容器本体ｄから起き上がり、接続部材ａおよびハンドル本体ｂが図６に実線で示す容器本体ｄに沿った実線の格納状態から仮想線で示す２つ折れ状態で容器本体ｄから山形に離れて手で把持できる把持状態になり、容器本体ｄを持ち運んだり傾けたりするためのハンドルとして機能する。
【０００３】
実開昭６１−３５６４５号公報に開示のハンドル構造は、両端部の脚部を利用して容器本体に離接できるように接続した左右一対のハンドルを持つもので、摺動および回動を伴って起立し、また収納され、起立位置では左右のハンドルが横に並んで把持されることにより安定し、容器本体をふらつきなく取り扱える状態が得られる。
【０００４】
特開平１０−３６４４５５号公報に開示のハンドル構造は、容器本体の上部に軸で回動およびスライドできるように接続した接続部材を設け、弾性を有したハンドル本体の下端を容器本体の下部に軸で回動できるように接続するとともに、上端を前記接続部材の自由端部に軸で回動できるように連結している。ハンドル本体は接続部材の容器本体からの起き上がりとスライドとを伴い容器本体から起き上がるように離れ、自身の弾性変形による外方への膨らみと相まって、少ない起き上がり量にてハンドル本体を把持でき、小さな力で収納できるようにしている。
【０００５】
【発明が解決しようとする課題】
ところで、上記実開昭６１−３５６４５号公報に記載のものを除く従来例は、互いに連結した２つのリンクの各端部を容器本体に接続し、容器本体との間で三角形をなして起き上がることを基本構成としている。このため、起き上がった２つのリンクをその双方に亘っては把持しにくい。従って、特開平０８−１１７１１８号公報に記載のもののように、２つのリンクをほぼ同じ長さにするのでは使用しにくい。
【０００６】
そこで、図６に示すように下側のリンクを把持する対象として片手で握れる長さのハンドル本体ｂとすると、ハンドル本体ｂの起き上がり量を図６に示すように比較的大きく設定しても、ハンドル本体ｂは容器本体ｄへの下端部の接続点から起き上がるだけで、容器本体ｄとの間には三角形の隙間しかできず、ハンドル本体ｂを把持するのはなお窮屈である。しかも、ハンドル本体ｂはその起き上がり量が大きくなるほど容器本体ｄの軸線に対する傾き角が大きくなるので、把持したハンドル本体ｂの向きに対する容器本体ｄの向きが大きくずれ容器本体ｄの向きが実感しにくく使用しにくい。
【０００７】
特開平１０−３６４４５５号公報に記載のものは、ハンドル本体の弾性変形によってハンドル本体を把持する窮屈さは幾分解消されるが、三角形方式による基本的な問題を持つことに変わりはない。また、ハンドル本体は弾性を有していると容器本体の取り扱いが不安定になるし、ハンドル本体は経時的に永久変形が進む問題もある。
【０００８】
一方、実開昭６１−３５６４５号公報に記載のものは、ハンドルは両端の脚部によって容器本体と平行に支持されるし、脚部の長さによって容器本体からの起き上がり量も十分に設定できるので、把持しやすくかつ容器本体の向きを実感しやすく、三角形方式のものが持っている問題を解消している。しかし、このものは、ハンドル１つでは安定しないので、左右一対設けて双方を同時に把持する必要があるため、構造が複雑で高価につく。また、両端に脚部を持った２つのハンドルは収納状態でも容器本体を大きくかさ張らせることになるので、携帯に不便である。
【０００９】
また、ハンドルを把持して液体保温容器を取り扱うのに、容器本体の傾きが実感しにくかったり、容器本体が不安定になると、液体保温容器であることにより、熱湯、熱いお茶、コーヒなどの飲料を入れているのに、外部からその温度を感じられずつい荒っぽく取り扱うことによって内容液が漏れ出てしまい不意に熱い思いをするようなことがあり得る。
【００１０】
本発明の目的は、把持しやすく容器本体を安定にしかも傾きをよく実感して取り扱える液体保温容器のハンドル構造を提供することにある。
【００１１】
【課題を解決するための手段】
上記のような目的を達成するために、本発明の液体保温容器のハンドル構造は、液体を収容して保温し飲料に供する容器本体の上部に基部が回動できるように軸で接続された上部接続部材と、容器本体の下部に基部が回動できるように軸で接続された下部接続部材と、上部接続部材の自由端部に上端が回動できるように軸で連結され下部接続部材の自由端部に下端が回動および摺動できるように軸で連結されて容器本体に沿う格納位置と容器本体から離れた引き出し位置とに前記２つの接続部間で移動できるハンドル本体と、を備え、下部接続部材がハンドル本体の容器本体からの引き離しを伴い容器本体から起きあがる角度を、ハンドル本体の容器本体からの引き離しを伴う上部接続部材のそれよりも大きく設定することにより、ハンドル本体をその引き出し位置で容器本体に対し傾斜姿勢とするようにしてあることを特徴としている。
【００１２】
このような構成では、ハンドル本体と上部接続部材および下部接続部材との連結軸まわりの屈伸と、上部接続部材および下部接続部材の容器本体に対する接続軸まわりの起伏と、ハンドル本体下端と下部接続部材との間の軸の摺動によるハンドル本体、上部接続部材、下部接続部材の連結長さの伸縮と、を伴って、ハンドル本体を、上部接続部材および下部接続部材の容器本体への接続位置間で、容器本体に沿う格納位置と容器本体から離れる引出し位置とに出し入れして、引出し位置ではハンドル本体を把持して容器本体を傾けて保温している飲料を注ぎ出したりできるようにし、格納位置ではかさ張らなくすることができる。
【００１３】
特に、前記のような４つの軸まわりの回動と、そのうちの１つの軸の摺動とを利用した２つの接続部間でのハンドル本体の出し入れ機構であることにより、Ａ：ハンドル本体はその上端が上部接続部材の起き上がりによって、下端が下部接続部材の起き上がりによって、それぞれ容器本体から引き離されるので、上下端とも十分な引き離し量が得られ、ハンドル本体の全体を弾性変形などを利用しないで楽に把持し、弾性変形を利用する場合のような不安定さがなく、かつ、ハンドル本体は容器本体にほぼ平行にしてハンドル本体を把持したときの容器本体の傾きを実感しやすくなるので、容器本体を取り扱いやすいし姿勢を制御しやすい。また、ハンドル本体が弾性を有したものでなくてよいので経時的に永久変形が進むような問題も生じない。Ｂ：ハンドル本体は容器本体に離接するための上部接続部材および下部接続部材との連結部における伸縮を一方の連結部での軸の摺動により達成してハンドルの自由度を抑え、ハンドル本体の引き出し位置では前記２つの接続部とそれらの間隔よりも短いハンドル本体との間で上部接続部材および下部接続部材がハンドル本体側から各接続部側に向かって広がるハの字状をなして最長状態となって、ハの字状による上部、下部各接続部材による突っ張り作用と、容器本体の重みによる引っ張り作用とによってよく安定し、しかも、ハンドル本体の上端の動きは上部接続部材を介して容器本体の上部に伝達し、ハンドルの下端の動きは下部接続部材を介し容器本体の下部に伝達するので、ハンドルの動きを容器本体の全体の動きに反映させやすいことによってほぼ１対１対応に近い状態でほとんど遊びや逃げなしに容器本体の姿勢を制御でき、使用しやすい。
【００１９】
また、上下接続部材につき、下部接続部材の、ハンドル本体の容器本体からの引き離しを伴い容器本体から起きあがる起きあがり角度を、ハンドル本体を伴う上部接続部材のそれよりも大きく設定してあることにより、Ｃ：ハンドル本体の引き出し位置が上端よりも下端の方が少し大きくなる傾斜姿勢を得て、ハンドル本体を把持しやすいし、引き出したハンドル本体を格納するのに起きあがり角度の小さい上部接続部材の側が下部接続部材よりも突っ張り作用が小さく優先的に格納状態に誘導され上下部各接続部材が揃って突っ張り作用をして格納を邪魔するようなことが回避され、ハンドル本体を格納しやすい。しかも、この状態が上部接続部材および下部接続部材を同じ長さの部材どうしで得られるので、部品の種類数が増大しない利点がある。
【００２３】
本発明のそれ以上の目的および特徴は、以下の詳細な説明および図面によって明らかになる。本発明の各特徴は可能な限りにおいて、それ単独で、あるいは種々な組合せで複合して用いることができる。
【００２４】
【発明の実施の形態】
以下、本発明の実施の形態に係る液体保温容器のハンドル構造につき、図１〜図５を参照しながら幾つかの例とともに説明し、本発明の理解に供する。
【００２５】
本実施の形態は金属製の真空二重容器を用いた液体保温容器の場合の例を示しているが。これに限られることはなく、種々な保温構造、断熱構造を持った液体保温容器に本発明を適用して有効である。
【００２６】
本実施の形態の液体保温容器のハンドル構造は、図１〜図５に示すように、液体を収容して保温し飲料に供する容器本体１の上部に基部が回動できるように軸２で接続された上部接続部材３、容器本体１の下部に基部が回動できるように軸４で接続された下部接続部材５、上部接続部材３の自由端部に上端が回動できるように軸６で連結され下部接続部材５の自由端部に下端が回動および摺動できるように軸７で連結されて容器本体１に沿う図２または図４に示す格納位置と容器本体１から離れた図１または図３に示す引き出し位置とに前記２つの接続部間で移動できるハンドル本体８、を備えている。
【００２７】
容器本体１は図３、図４に代表して示しているように、ステンレス鋼製の内筒１１と外筒１２との間を断熱性に優れた真空空間１３としたもので、外筒１２が容器本体１の全外面を形成した金属製の外面を持つ構造としてある。容器本体１はその口部１ａの内筒１１による内面と、外筒１２による外面とにねじ部１４、１５がロール加工にて形成され、内面のねじ１４に樹脂製の栓体１６がねじ嵌めして着脱できるように装着され、外面のねじ１５に樹脂製のキャップを兼用するコップ１７がねじ嵌めして着脱できるように装着されている。
【００２８】
栓体１６は容器本体１自体の口部１ａにおける内筒１１および外筒１２が形成する金属製の口縁１ｂを覆って水きり縁２１ａを持った注ぎ口２１を形成しており、この注ぎ口２１から内筒１１内に通じる注出通路２２を形成している。注出通路２２にはその内筒１１内への開口２２ａを開閉する弁体２３が設けられている。弁体２３は栓体１６における注出通路２２の中央部にまわりに注出通路２２を残して位置するように一体成形などされた弁受け部２４に上下動できるように支持され、ばね２５の付勢によって開口２２ａを下方から当接して閉じるように付勢されている。弁受け部２４の上部には弁体操作部２６が設けられている。この弁体操作部２６には図３の矢印で示す仮想線位置への回動にてばね２５の付勢に抗し弁体２３を開くとともにその開き位置に係止し、開き位置保持位置にて仮想線で示す突出部を押動されることにより弁体２３の開き位置への係止を解除して弁体２３がばね２５の付勢により閉じ位置に復帰されるようにする弁体開閉部材２７を内蔵し、弁体開閉部材２７を係止位置にまで押動して弁体２３を押し開くための操作釦２８が設けられている。
【００２９】
以上のような本実施の形態の液体保温容器は、容器本体１内に飲料を容れたり排出したりするには、コップ１７および栓体１６を取り外し、容器本体１自体の口部１ａを通じて行う。飲料を容れて容器本体１を携行したり定置して保温を行うには栓体１６およびコップ１７を装着する。この状態で飲料は真空空間１３と栓体１６内の空間、栓体１６とコップ１７との間の空間とによって外部から隔絶されまわりへの放熱をよく抑えられる状態で保温される。
【００３０】
容器本体１の携行はそれに肩掛けベルトなどを連結してショルダータイプに行うか、リュックやバッグに収納して行うのが好適である。しかし、ハンドル本体８を把持して携行することもできる。定置しあるいは携行している液体保温容器をちょっと持ち運んだり、飲料を注ぎ出すのにハンドル本体８を把持するのが好適である。しかし、これに限られることはなく容器本体１を直接把持して各種に取り扱うことも場合により行われてもよい。
【００３１】
ここで、本実施の形態に係る上記のハンドル構造によると、ハンドル本体８と上部接続部材３および下部接続部材５との連結軸６、７まわりの屈伸と、上部接続部材３および下部接続部材５の容器本体１に対する接続軸２、４まわりの起伏と、ハンドル本体８下端と下部接続部材５との間の軸４の摺動によるハンドル本体８、上部接続部材３、下部接続部材５の連結長さの伸縮と、を伴って、ハンドル本体８を、上部接続部材３および下部接続部材５の容器本体１への接続位置間、つまり軸２、４間で、容器本体１に沿う図２、図４に示す格納位置と容器本体１から離れる図１、図３に示す引出し位置とに出し入れして、引出し位置ではハンドル本体８を把持して容器本体１を持ち運んだり、携行したり、あるいは、容器本体１を傾けて保温している飲料を注ぎ出したりできるようにし、格納位置ではかさ張らなくして、狭い位置での定置や収納、あるいは携行に際しかさ張らず取り扱いやすいものとなる。
【００３２】
特に、このような４つの軸２、４、６、７まわりの回動と、そのうちの１つの軸４の摺動とを利用した２つの軸２、４間でのハンドル本体８の出し入れ機構であることにより、次のような特徴を発揮する。
【００３３】
ハンドル本体８はその上端が上部接続部材３の起き上がりによって、下端が下部接続部材５の起き上がりによって、それぞれ容器本体１から引き離されるので、上下端とも十分な引き離し量が得られ、ハンドル本体８の全体を弾性変形などを利用しないで楽に把持し、弾性変形を利用する場合のような不安定さがなく、かつ、ハンドル本体８は容器本体１にほぼ平行にしてハンドル本体８を把持したときの容器本体１の傾きを実感しやすくなるので、容器本体１を取り扱いやすいし姿勢を制御しやすい。また、ハンドル本体８が弾性を有したものでなくてよいので経時的に永久変形が進むような問題も生じない。
【００３４】
ハンドル本体８は容器本体１に離接するための上部接続部材３および下部接続部材５との連結部、つまり軸６、７部における伸縮を一方の連結部での軸４の摺動により達成してハンドルの自由度を抑え、ハンドル本体８の引き出し位置では前記２つの軸２、４部とそれらの間隔よりも短いハンドル本体８との間で上部接続部材３および下部接続部材５がハンドル本体８側から各軸２、４部側に向かって広がるハの字状にて最長状態となって、ハの字状による上部、下部各接続部材３、５による突っ張り作用と、容器本体１の重みによる引っ張り作用とによってよく安定し、しかも、ハンドル本体８の上端の動きは上部接続部材３を介して容器本体１の上部に伝達し、ハンドル本体８の下端の動きは下部接続部材５を介し容器本体１の下部に伝達するので、ハンドル本体８の動きを容器本体１の全体の動きに反映させやすいことによってほぼ１対１対応に近い状態でほとんど遊びや逃げなしに容器本体１の姿勢を制御でき、使用しやすい。
【００３５】
このような特徴を発揮するのに、本実施の形態における容器本体１の断熱、栓、キャップがどのような具体的な構造を持っているか特に関係が無く、種々な構造を取り得る。例えば、栓体１６は単に着脱するだけで口部１ａや注ぎ口２１を開閉できるようにしたものでもよい。また、断熱材を充填するなど真空を利用しない各種の断熱構造、また、真空を利用した非金属製の各種容器本体などを採用することができる。要するに定置しての使用、あるいは携帯しての使用に便利な飲料の保温形態を満足するものであればよい。
【００３６】
本実施の形態ではまた図１〜図５に示すように、上部接続部材３および下部接続部材５は、また、容器本体１に設けられた上下の各取付け部３１、３２に接続されている。これにより、容器本体１が金属製の真空二重容器など外面に取り付け部分がないような形態に好適で、必要最小限の大きさで設けて上記のようなハンドル構造を図２、図４、図５に示すように極くシンプルに構成することができる。特に、本実施の形態のように、金属製の容器本体１が真空二重容器であるのに関連して、上部取付け部３１および下部取付け部３２は、容器本体１の金属製の外筒１２に溶接ないしはろう接により接合しておいた取付け金具３３、３４にねじ３５によりねじ止めして取り付けることができ、容器本体１である真空二重容器の真空封止に影響なく確固に取り付けた取付け金具３３、３４を利用して上部取付け部３１および下部取付け部３２をねじ止めにより簡易に、しかも、取付け金具３３、３４を上部取付け部３１および下部取付け部３２により図１、図３に示すように覆って体裁よく取り付けることができる。上下の各取付け部３１、３２は樹脂成形品であり内側に向く取付け片３１ａ、３２ａが、取付け金具３３、３４における外筒１２の外面に接合された取り付け座３３ａ、３４ａから立ち上がった支持片３３ｂ、３４ｂにねじ３５によりねじ止めされている。
【００３７】
図１、図２に示す例では、上部取付け部３１は上部の取付け金具３３に下方から当てがって下向きの開口部３１ｂを通じ下方から前記ねじ止めを行い、下部取付け部３２は下部の取付け金具３４に上方から当てがって上向きの開口部３２ｂを通じて上方から前記ねじ止めを行っている。
【００３８】
図３〜図５に示す例では、上部取付け部３１は上部の取付け金具３３に上方から当てがわれて上方から前記ねじ止めを行い、下部取付け部３２は下部の取付け金具３４に下方から当てがわれて下方から前記ねじ止めが行われている。上部取付け部３１は上部に、下部取付け部３２は下部に前記ねじ止めのための作業孔を有し、上部取付け部３１のそれは蓋３６により塞がれ、下部のそれは蓋なしの開放口３７としてある。また、上下部の各取付け部３１、３２は携行用の図示しないベルトなどを接続する接続部３８が一体成形されている。しかし、蓋３６には開口３６ａを設けてある。
【００３９】
図１〜図５の例に共通して、さらに、下部接続部材５とハンドル本体８の下端との連結は、下部接続部材５の自由端部に固定した軸７をハンドル本体８の下端にハンドル本体８の長手方向に設けた長孔３９に嵌め合わせて、軸７による連結部での軸７まわりの回動と軸７の摺動とができるようにしてある。このようにすると、ハンドル本体８の図１、図３に示す引き出し状態で前記軸７は容器本体１の重みにより長孔３９の下端部に当接する働きを受けて安定するし、ハンドル本体８の下端を容器本体１に近づける動きをするときには下部接続部材５の突っ張りによって前記軸７の下端位置を保持しやすく安定させられるので、軸７の摺動構造によって操作がしにくくなるようなことを防止しやすい。
【００４０】
図３〜図５に示す例では、長孔３９の下端部が図３、図４に示すように、容器本体１側に曲げてた曲がり部３９ａとしてある。この曲がり部３９ａによると、前記下部接続部材５を起き上がり状態に突っ張らせやすく軸７の下端位置の安定性がさらに向上するので、簡単な構造のまま操作性が向上する。
【００４１】
図１〜図５に示す例では共通して、長孔３９とこれに嵌め合わされている軸７とにおいて、軸７を長孔３９の上端部と下端部とに弾性的に係止する係止手段４１を有している。これによると、軸７の上端位置と下端位置が確実に保持され、ハンドル本体８を格納位置にも引き出し位置にも十分安定させることができる。このため、図３〜図５に示す例のような長孔３９の下端の曲がり部３９ａは特に要らない。しかし、このような曲がりを併用するほどハンドル本体８の引き出し位置における軸７の下端位置への保持がより安定するし、万一係止手段４１が故障したような場合の補助ともなる。
【００４２】
図１〜図５に示す例では共通して、また、下部接続部材５の、ハンドル本体８の容器本体１からの引き離しを伴い容器本体１から起きあがる起きあがり角度θ１を、図１、図３に示すようにハンドル本体８を伴う上部接続部材３の起きあがり角度θ２よりも大きく設定してある。これによると、ハンドル本体８の引き出し位置が上端よりも下端の方が少し大きくなる傾斜姿勢が得られハンドル本体８を把持しやすいし、引き出したハンドル本体８を格納するのに起きあがり角度の小さい上部接続部材３の側が下部接続部材５よりも突っ張り作用が小さく優先的に格納状態に誘導され上下部各接続部材３、５が揃って突っ張り作用をして格納を邪魔するようなことが回避され、ハンドル本体８を格納しやすい。しかも、この状態が上部接続部材３および下部接続部材５を同じ長さの部材どうしで得られるので、部品の種類数が増大しない利点がある。
【００４３】
なお、別の観点から、下部接続部材５の容器本体１からの起きあがりを伴いハンドル本体８の下端部が容器本体１から離れる距離を、上部接続部材３を伴う上端部のそれよりも大きく設定すると規定しても、ハンドル本体８を把持しやすくすることができる。
【００４４】
また、図３〜図５の例で示しているように、既述したハンドル本体８、およびこのハンドル本体８の上下端を容器本体１に連結し、接続している上下部の各接続部材３、５、あるいは上下部の各接続部材３、５および取り付け部３１、３２どうしにおいて、互いに通じる連絡路４５が設けられ、この連絡路４５が少なくとも下端に前記したような開放口３７を持っているようにすると、ハンドル本体８、およびこのハンドル本体８の上下端を容器本体１に連結し、接続している上下部の各接続部材３、５、あるいは上下部の各接続部材３、５および上下の各取付け部３１、３２が中空部や凹部を有した構造であって、容器本体１を丸洗いなどしたときに、内部に洗浄液や水が浸入しても、これを前記連絡路４５およびその下端の開放口３７を通じて外部に抜くことができるので、内部に洗浄液や水が浸入してなかなか抜けないで却って不衛生になるような不都合がなくなる。特に、図３、図４に示す例では連絡路４５の上端にも蓋３６などに形成した開口３６ａを有しているので、連絡路４５が上下に貫通して水の通りがよくなり水抜きにさらに好適である。しかし、上端の開口３６ａは選択的に設ければよい。
【００４５】
しかし、ハンドル本体８の出し入れ操作を繰り返すと各部に浸入している洗浄液や水を各部の開口部や隙間をも含めて外部に抜き出しやすくする。ハンドル構造によってはこのハンドル操作だけでも抜き出せる。
【００４６】
図１〜図５に示す例では共通して、さらに、ハンドル本体８は背面側に溝を持った表部材５１とこの溝を塞ぐように背面から嵌め合せた蓋板５２とによって中空の筒状に形成し、上下部の各接続部材３、５はいずれも筒形状を有していないが、ハンドル本体８との接続部を蛇腹形態を持った、あるいは持たない可撓性の筒カバー５３、５４により覆って前記連絡路４５を形成しており、この連絡路４５が上下部の各取付け部３１、３２内へも及ぶようにしてある。また、蓋板５２の下端部片５２ａに表部材５１側に突出した係止突起４１ａ、４１ｂを一体に形成し、ハンドル本体８の格納位置と引き出し位置との間の出し入れ操作に連動して軸７が長孔３９の下端位置と上端位置とに各係止突起４１ａ、４１ｂを下端部片５２ａの樹脂ばね性を利用して押し退けながら乗り越えて位置し、軸７が乗り越える都度それら係止突起４１ａ、４１ｂが前記樹脂ばね性を利用して元の位置に復帰することにより前記下端位置および上端位置に係止され、ハンドル本体８を格納位置および引き出し位置に安定に保持することができる。もっとも、これらの具体的な構造に限定されることはなく自由に設計することができる。
【００４７】
また、図１〜図５に示す例において、共通して、上部接続部材３および下部接続部材５が容器本体１から図１、図３に示す所定の角度以上に起き上がるのを規制するストッパ６１、６２が上下の各取付け部３１、３２などを利用して設けられている。所定の角度は本発明者らの経験によれば、上部接続部材３で４５度以下、下部接続部材で５０度以下に設定して好適である。しかし、これに限られることはないし、他の条件設定の違いによっては他の条件が好適になることもある。これらのストッパ６１、６２は所定の角度以上に回動を阻止する動きの規制部でよく、上下の各取付け部３１、３２におけるハンドル本体８に対する当たり縁としてある。このようにすると、ハンドル本体８を引き出して把持し、容器本体１を傾けたり、横向きにして持ち運んだりするときの容器本体１の揺れを防止しやすくなる。
【００４８】
なお、図示しないが金属製の容器本体１の肩部や底部の外回りに取付け部３１、３２に代わる取付け部を一体形成できるような樹脂などよりなる肩部材や底部材といった何らかの付帯部材があるとき、それに一体形成した取り付け部と軸２、４とを用いて上下部の各接続部材３、５を容器本体１に接続するようにしてもよい。
【００４９】
また、場合によっては、下部の軸７の摺動に代えて上部の軸６の摺動にしてもよいし、軸６、７双方を摺動するようにしてもよい。軸６、７の双方を摺動させるのにそれらの摺動量に、軸６の摺動量は小さく軸７の摺動量は大きくするといった差を持たせることもできる。また軸７の摺動は軸４の摺動に代えても、軸６の摺動を軸２の摺動に代えても、ハンドル本体８の出し入れはできる。
【００５０】
【発明の効果】
本発明によれば、上記の説明で明らかなように、ハンドル本体を、上部接続部材および下部接続部材の容器本体への接続位置間で、容器本体に沿う格納位置と容器本体から離れる引出し位置とに出し入れして、引出し位置ではハンドル本体を把持して容器本体を傾けて保温している飲料を注ぎ出したりできるようにし、格納位置ではかさ張らなくすることができる。
【００５１】
特に、前記のような４つの軸まわりの回動と、そのうちの１つの軸の摺動とを利用した２つの接続部間でのハンドル本体の出し入れ機構であることにより、Ａ：ハンドル本体はその上端が上部接続部材の起き上がりによって、下端が下部接続部材の起き上がりによって、それぞれ容器本体から引き離されるので、上下端とも十分な引き離し量が得られ、ハンドル本体の全体を弾性変形などを利用しないで楽に把持し、弾性変形を利用する場合のような不安定さがなく、かつ、ハンドル本体は容器本体にほぼ平行にしてハンドル本体を把持したときの容器本体の傾きを実感しやすくなるので、容器本体を取り扱いやすいし姿勢を制御しやすい。また、ハンドル本体が弾性を有したものでなくてよいので経時的に永久変形が進むような問題も生じない。Ｂ：ハンドル本体は容器本体に離接するための上部接続部材および下部接続部材との連結部における伸縮を一方の連結部での軸の摺動により達成してハンドルの自由度を抑え、ハンドル本体の引き出し位置では前記２つの接続部とそれらの間隔よりも短いハンドル本体との間で上部接続部材および下部接続部材がハンドル本体側から各接続部側に向かって広がるハの字状をなして最長状態となって、ハの字状による上部、下部各接続部材による突っ張り作用と、容器本体の重みによる引っ張り作用とによってよく安定し、しかも、ハンドル本体の上端の動きは上部接続部材を介して容器本体の上部に伝達し、ハンドルの下端の動きは下部接続部材を介し容器本体の下部に伝達するので、ハンドルの動きを容器本体の全体の動きに反映させやすいことによってほぼ１対１対応に近い状態でほとんど遊びや逃げなしに容器本体の姿勢を制御でき、使用しやすい。
【００５７】
また、上下接続部材につき、下部接続部材の、ハンドル本体の容器本体からの引き離しを伴い容器本体から起きあがる起きあがり角度を、ハンドル本体を伴う上部接続部材のそれよりも大きく設定してあることにより、Ｃ：ハンドル本体の引き出し位置が上端よりも下端の方が少し大きくなる傾斜姿勢を得てハンドル本体を把持しやすいし、引き出したハンドル本体を格納するのに起きあがり角度の小さい上部接続部材の側が下部接続部材よりも突っ張り作用が小さく優先的に格納状態に誘導され上下部各接続部材が揃って突っ張り作用をして格納を邪魔するようなことが回避され、ハンドル本体を格納しやすい。しかも、この状態が上部接続部材および下部接続部材を同じ長さの部材どうしで得られるので、部品の種類数が増大しない利点がある。
【図面の簡単な説明】
【図１】本発明の実施の形態に係る液体保温容器のハンドル構造の１つの例をハンドル引出し状態で示す要部を断面して見た側面図である。
【図２】図１の液体保温容器のハンドル構造を格納状態で示す要部を断面して見た側面図である。
【図３】本発明の実施の形態に係る液体保温容器のハンドル構造の別の例をハンドル引出し状態で示す要部を断面して見た側面図である。
【図４】図１の液体保温容器のハンドル構造を格納状態で示す要部を断面して見た側面図である
【図５】図４の液体保温容器のハンドル構造を格納状態で示す要部を断面して見た背面図である。
【図６】従来の液体保温容器のハンドル構造の一例を示す断面図である。
【符号の説明】
１  容器本体
２、４、６、７  軸
３  上部接続部材
５  下部接続部材
８  ハンドル本体
３１、３２  取付け部
３３、３４  取付け金具
３５  ねじ
３７  開放口
３９  長孔
４１  係止手段
４５  連絡路
６１、６２  ストッパ
【図１】
0003552662.tif 000002
【図２】
0003552662.tif 000003
【図３】
0003552662.tif 000004
【図４】
0003552662.tif 000005
【図５】
0003552662.tif 000006
【図６】
0003552662.tif 000007